(57)【要約】【課題】  従来のローラースキーは、雪のない場所で雪上でのスキーと同じように、体重の移動でスキーを操るとしていたが、スキーを滑らせながら体重の移動をし、スキー板を傾けると同時にエッジング操作でスピードをコントロールする練習ができず、スキー初心者の技術の上達が計れなかった。【解決手段】  本発明のローラースキーは、上記課題を解決する為にスキー板体の構造体の変換により、上記課題を解決したものでスキー板体の構造体の直方体を球体とし、スキー板体のエッジ部長手方向の構造体の直方体を柱体とすることで摩擦抵抗を減少させ、雪上での機能と作用を持たせ、この球体を保持する球体キャスターと、柱体とするエッジローラーを持つエッジキャスターとをユニットにし、キャスターユニットとしてスキー板体等雪上用板体下面に適宜設置し、この構成が雪のない場所でのスキー等雪上でのような操作の練習を可能とし技術の向上を得る。【選択図】図６
2015217284.tif 000002
【特許請求の範囲】
【請求項１】
球体を回転自在に保持した球体キャスターをスキー板の一方の主面に固定し、前記球体キャスターの両側の前記スキー板の一方の主面に、斜め外側方向に２個の回転ローラーを地面に接触させることなく保持したエッジキャスターを固定し、前記球体キャスターとエッジキャスターに対向する前記スキー板の他方の主面にスキーヤーのスキー靴の設置部を有し、前記スキーヤーの体重移動により、前記回転ローラーの傾きを変化させて、前記球体の一部と前記回転ローラーの端部を地面に接触させることを特徴とするローラースキー。
【発明の詳細な説明】
【技術分野】
【０００１】  本発明は、一般家庭の子供等初心者のスキー練習に適し、雪上のスキーと同様の体重移動によるスキー操作の技術習得に関する。
【背景技術】
【０００２】  今迄のローラースキーは、直滑行はローラーの構造上可能であったが、雪上でのスキー操作で必要な体重移動による直滑行から斜滑行への移行と同時に、スキーのエッジを使ったエッジングというスピードと進行方向のコントロールを行う機能を持つことができず、雪上でのようなスキー操作の練習ができずスキー技術の向上が計れなかった。【０００３】  本発明はスキーに大切な体重の移動によりスキー板を傾け、全方向への回転と瞬時の方向変更をしながら滑らせる球体を保持する埋込キャスターを具備した球体キャスターと、同時に行う雪上スキーでのスキーのエッジによるエッジングのような、スピードと進行方向のコントロール操作を行う機能を持つ、斜めに取り付けたキャスターのローラー低部の端が、接地面を押さえながら滑り、初心者が難しいスキー操作を雪上と同じように、スキーの基本である体重移動によるスキー練習をし、技術の向上を得ることができる。
【先行技術文献】
【０００４】
【特許文献１】  特許第３３７９９９号
【０００５】
【特許文献２】  特許第４１４６８７２号
【発明の概要】
【発明が解決しようとする課題】
【０００６】  従来有していた問題を解決しようとしたものであり雪上でのスキー練習と同様の練習が雪のない場所で、初心者等の唯もがスキー技術の上達を行うことを目的にしたものである。【０００７】  文献１は、ローラーにブレーキ装置を設けたもので、雪上スキーのようにエッジング操作をしての、スピードと進行方向をコントロールする機能を持たない構成である。【０００８】  文献２は、荷物運般用台車の機能を持った構成で、従動して回転可能なキャスターと固定ローラーを設け、脚を捻りスキー板を回動さすとしているが、この動作を初心者がすることは極めて難しい。初心者の雪上スキーにおいては長いスキー板を脚で操作することや、体重移動による操作は難しいが、スキーを操作する為の基本練習であるボーゲンから練習を始め、脚を捻るのではなく体重移動によるエッジングの練習を重ね、スキーの操作を自然に身につけ難しいとされるスキー操作のパラレルターンへと進むことができる。【０００９】  文献２のスキー板中央下部に４個の固定ローラーを設け、このローラーの作用が、雪上スキーにおけるエッジングに相当としているが、たとえばこのローラーを自転車の車輪におきかえて考えると、自転車を傾けて旋回すると車輪に垂直抗力と、体重（重力）を合わせた合力の向心力が、傾きの内側に作用し車輪が滑ることなく旋回することができる。このことはこのローラーを傾け旋回しても滑ることなく旋回する為滑らせることができず、雪上スキーのようにエッジングをして滑らせることは不可能であると予想される。
【課題を解決するための手段】
【００１０】  そして本発明は、上記課題を解決するため球体を回転自在に保持した球体キャスターをスキー板の一方の主面に固定し、前記球体キャスターの両側の前記スキー板の一方の主面に、斜め外側方向に２個の回転ローラーを地面に接触させることなく保持したエッジキャスターを固定し、前記球体キャスターとエッジキャスターに対向する前記スキー板の他方の主面にスキーヤーのスキー靴の設置部を有し、前記スキーヤーの体重移動により、前記ローラーの傾きを変化させて、前記球体の一部と前記回転ローラーの端部を地面に接触させることを特徴とする構成である。
【発明の効果】
【００１１】  本発明のローラースキーは上記のような構成で、従来のローラースキーが雪上スキーで必要な体重の移動によるスキーの操作を行う機能を持つことができなかったが、本発明のローラースキーが、スキー板長手方向の摩擦抵抗を減少させ回転を自在とし、体重の移動によりスキー板を傾け雪上でのようなエッジングで、スピードと進行方向をコントロールし、滑らせながら進めることを可能にし雪上スキーのような操作の練習が、雪のない場所で初心者の唯もがスキー技術の上達を得、雪上スキーの普及を計ることができる。【００１２】  上記構成の球体キャスターとエッジキャスターをユニットとし、スキー板下面や、ボード下面、ショートスキー板下面に適宜設置し、複数の用途も可能にしたものである。
【図面の簡単な説明】
【００１３】
【図１】本発明の原理的な説明を図示したもので、スキー板要部を示した態様図である。
【図２】図１の直方体下面の平面部を球体で示した態様図である。
【図３】図１の直方体長手方向端のエッジ部を直方体であるとして、これを示した態様図である。
【図４】図３の長手方向端のエッジ部の長方形の低部をエッジローラー低部であるとして、これを示した態様図である。
【図５】図３の直方体エッジ部断面とエッジローラーの断面とが長方形の相似形を示している態様図である。
【図６】本発明の実施形態を示すローラースキーで、本発明の第１実施例の全体の概要構成（定状態）を示す側面図である。
【図７】同第１実施例の低面図である。
【図８】キャスターユニットの（定状態）の要部の正面図である。
【図９】キャスターユニットが右回転で地面に接地している要部の正面図である。
【図１０】基盤に装置された球体キャスターと、エッジキャスターをユニットとし、球体ローラーを取り除いた低面の態様図である。
【図１１】本発明の第２実施例を示すローラーボードで、全体の概要構成を示す低面図である。
【図１２】同第２実施例の正面図である。
【図１３】本発明の第３実施例の形態を示すローラーショートスキーで、全体の概要構成を示す側面図である。
【図１４】ローラースキーをボーゲンで滑っている態様図である。
【図１５】ローラーボードで滑っている態様図である。
【図１６】ローラーショートスキーで滑っている態様図である。
【発明を実施するための形態】
【００１４】  本発明の原理的な説明を図１〜５にて説明する。図１は通常のスキー板の状態を示すもので、体重の移動によりスキー板７の長手方向要部の板体２３の低面２４を傾斜雪面３４に接触させエッジ面２８でエッジングさせ、板体２３が直方体構造であることを示す図である。
【００１５】  図２は本発明の原理を示すもので、図１の板体２３の直方体構造を、球体構造の球体ローラー１に変えたと考え、板体２３の低面２４も球体ローラー１の球面３３となり、平面を球面に変換できたことを示し、この球体ローラー１の球面３３が傾斜地面１９に１点で接触した接地面１４とした構成である。
【００１６】  上記図２の構成は直方体構造を球体構造にしたことで接触面を点接触とし摩擦抵抗を減少させ、滑りとコロガリを可能とし方向も自在とする構成である。
【００１７】  図３は図１のエッジ部の要部構造を示すもので、板体２３の端のエッジ部２６を直方体構造として記載したものである。
【００１８】  図３はエッジ部２６の長方形の低部３２を傾斜雪面３４に接触させ、エッジ面２８でエッジングさせている構成である。
【００１９】  図４は本発明の原理を示すもので、図３のエッジ部２６の長方形のエッジ部低面３２も、エッジローラー４の円形低面３１に変わり、部分接触のエッジ面２８を有した構成である。
【００２０】  図５は本発明の原理を示すもので、本発明のエッジローラー４の断面２７が、図３のエッジ部２６のエッジ部２６の直方体の断面２５と相似形であることを示し、同じエッジング機能を持つことを示すものである。
本発明ではこの構成を持つローラー４をエッジローラーとしたものである。
【００２１】  上記図５の構成は図３の長方形のエッジ部２５と、長方形のエッジローラー断面２８とが傾斜面に同じエッジ角２２でエッジングをさせ、同じ断面の構成を示すことでエッジローラー４がエッジング機能を持つことを示す。
【００２２】  本発明のローラースキーの実施形態を図面に基いて説明する。
（第１実施例）
図６はローラースキーの一実施形態（第１実施例）を示す。図６は本実施形態のローラースキーの全体の構成を示し、スキー板７の中央部上面にスキー靴１５を前後でグリップするバインダー１６、１７があり、スキー板７の下面の中央部と前部、後部にキャスターユニット１２をそれぞれに取り付けた構成である。
【００２３】  図７は同第１実施例のローラースキーの全体の構成の低面図である。
【００２４】  図８は図６、７のキャスターユニット１２の部分の詳細構造を示す。この構造は、スキー板７の下面に基盤６を取り付け、基盤６の前部には埋込キャスター２を具備し、球体ローラー１をキャスターフレーム３で保持した球体キャスター２１を取り付け、後部にエッジング機能を持つエッジローラー４を備えたエッジキャスター５を、支持フレーム９の左右の斜面に取り付け、基盤６に装置した球体キャスター２１とエッジキャスター５とでキャスターユニット１２とし、スキー板の上面にスキー靴１５を装置し、球体ローラー１が地面２０に接触し接地面１４が、点接触の定状態を示した構成である。
【００２５】  図９は図８の定状態の上記キャスターユニット１２が、体重の移動により傾斜地面１９にエッジローラー４のエッジ面２８を接触させ、エッジングをしている構成で、この状態は図５の原理図に示す状態である。
【００２６】  上記図９の構成は図１〜５の原理図に示すスキー板体２３の機能を持った構造体によるキャスターユニット１２で、体重の移動によりスキー板７を傾けエッジローラー４のエッジ面２８を接触させ、エッジングをしながら回転も可能で進行方向へも進むことができ、球体キャスター３とで、お互いの持たない機能を補うことで板体２３の機能をキャスターユニット１２が持ち、図６の本発明のローラースキー７の下面の中央、前部、後部に装着してあり、長手方行の接触面を減少させることで摩擦抵抗を減少させ、雪のない地面でのスキー操作を可能にした構成である。
【００２７】  前記図８、９のキャスターユニット１２を構成する、球体ローラー１とエッジローラー４の材質及び傾斜地面１９の材質は、球体ローラー１の材質が金属樹脂、ゴム等と傾斜地面１９の材質とのころがりの効果により、組み合わせを適宜とし、エッジローラー４の材質もセラミック、樹脂、ゴム等傾斜地面１９の材質とのエッジング効果により組み合わせを適宜とする。傾斜地面１９の材質は、転倒による危険防止の為、軟らか目の材質が良く、軟らか目のアスファルト、樹脂人工芝、カーペット等、この上を滑る、あるいはころがる球体ローラー１の材質との効果による組み合わせを適宜とすることで、雪上でのような最適なコンディションを可能とする。又球体キャスター３の埋込キャスター２の装置数は、これも傾斜地面１９の材質との効果により、増減数を適宜とする。
【００２８】  図１０は基盤６の前部に埋込キャスター２を具備し、球体ローラー１を取りはずしたキャスターフレーム３を取り付け、後部に支持フレーム９の両斜面に保強金具３０で保強したエッジキャスター５を取り付け、キャスターユニット１２とした構成の態様図である。
【００２９】  図１１は本発明の第２実施例を示すローラーボードの全体の構成図で、ボード１３の下面の前部中央と後部中央に球体キャスター２１を取り付け、この球体キャスター２１の左右に、キャスターユニット１２を取り付けた構成の低面図である。
【００３０】  図１２はボード１３下部中央の球体キャスター２１の球体ローラー１を、傾斜地面２０の接地面１４に接触させ、ボードの端にエッジング機能を持ったキャスターユニット１２が有り、体重の移動によりボードを傾けエッジングを可能とする構成であり、キャスターユニット１２の大きさは、球体キャスター２１より小さくし、この大きさを加減することで傾きとエッジングの強さを調整する機能を持つものである。
【００３１】  図１３は本発明の第３実施形態を示すショートスキーの全体の構成図で、ショートスキー板１８に、スキー靴１５をバインダー１６、１７でグリップさせ、下面中央に球体キャスター２１とこれの前後にエッジキャスターを装着し、地面２０の接地面１４に接触させた定状態の構成図である。
図１４は本発明の第１実施例のローラースキーをスキーヤーが装着し、傾斜地面１９をボーゲンで斜滑降をしている態様図である。
【００３２】  図１５は本発明の第２実施例のボード１３をボーダーが装着し、傾斜地面１９体重移動をしながらボード１３を傾けエッジングしながら、滑っている態様図である。
【００３３】  図１６は本発明の第３実施例のショートスキー１８を装着し、傾斜地面１９を滑っている態様図である。
【産業上の利用可能性】
【００３４】  雪上スキーは初心者には、技術的にとても難しく唯もが簡単に楽しむことができず、又経済的にも用具、交通費、宿泊費等費用が大変であり、天候により左右され、スキー人口の減少を防ぐことができなかったが、本発明のローラースキーが雪上でのような滑りを可能とし、安全で雪のない場所で唯もが雪上スキーの技術の向上を計ることができ、雪上スキーへと進み、スキー人口を増やすことも可能となり、雪上スキー、地上スキー等の用具産業も発展することが可能である。
【符号の説明】
【００３５】１    球体ローラー
２    埋込キャスター
３    球体キャスター
４    エッジローラー
５    エッジキャスター
７    スキー板
１５  スキー靴
【図１】
2015217284.tif 000003
【図２】
2015217284.tif 000004
【図３】
2015217284.tif 000005
【図４】
2015217284.tif 000006
【図５】
2015217284.tif 000007
【図６】
2015217284.tif 000008
【図７】
2015217284.tif 000009
【図８】
2015217284.tif 000010
【図９】
2015217284.tif 000011
【図１０】
2015217284.tif 000012
【図１１】
2015217284.tif 000013
【図１２】
2015217284.tif 000014
【図１３】
2015217284.tif 000015
【図１４】
2015217284.tif 000016
【図１５】
2015217284.tif 000017
【図１６】
2015217284.tif 000018
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
球体を回転自在に保持した球体キャスターをスキー板の一方の滑走面に固定し、前記球体キャスターの両側の前記スキー板の一方の滑走面に斜目外側方向に２個の円柱状でゴム又はセラミックス又は樹脂によりなるエッジローラーを地面に接触させることなく保持したエッジキャスターを固定し、前記球体キャスターとエッジキャスターに対向する前記スキー板の他方の上面にスキーヤーのスキー靴の設置部を有し、前記スキーヤーの体重移動により、前記エッジローラーを斜目外側方向に傾けた状態で前記エッジローラーの地面側端部と前記球体キャスターを地面に接触させることを特徴とするローラスキー。
【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
球体を回転自在に保持した球体キャスターをスキー板の滑走面に固定し、前記球体キャスターの両側の前記スキー板の滑走面に斜目外側方向に２個の円柱状でゴム又はセラミックス又は樹脂によりなるエッジローラを地面に接触させることなく保持したエツジキャスターを固定し、前記球体キャスターとエツジキャスターに対向する前記スキー板の上面にスキーヤーのスキー靴の設置部を有し、前記スキーヤーの体重移動により、前記エッジローラーを斜目外側方向に傾けた状態で前記エッジローラーの地面側端部と前記球体キャスターを地面に接触させることを特徴とするローラースキー。